(57)【要約】【課題】  襟付きシャツの襟部全体を取り換えることなくシャツの襟内面の濡れや汚れを回避可能とし、シャツ本体のクリーニング回数を節減できるとともに替えカラー洗濯が簡単で、持ち運びが容易な替えカラー付きシャツおよび替えカラーを提供する。【解決手段】  人体側の内面であるシャツの襟内面に臨むカラー取付面と人体の首部外周に接するカラー内面とが表裏に形成されて該襟内面に沿って延びる替えカラーを、前記襟内面に着脱自在に設けてなり、前記替えカラーは、少なくともカラー取付面に固定されたマジックシート、両面テープ等の接着シートを介して前記襟内面に固定可能に構成たことを特徴とする。【選択図】  図１
0003106193.tif 000002
【実用新案登録請求の範囲】
【請求項１】
シャツ本体の襟内面に臨むカラー取付面と人体の首部外周に接するカラー内面とが表裏に形成されて該襟内面に沿って延びる替えカラーを備え、前記替えカラーの前記カラー取付面を前記襟内面に着脱自在に構成したことを特徴とする替えカラー付きシャツ。
【請求項２】
前記替えカラーは、少なくとも前記カラー取付面に固定されたマジックシート、両面テープ等の接着シートを介して前記襟内面に固定可能に構成されたことを特徴とする請求項１記載の替えカラー付きシャツ。
【請求項３】
前記替えカラーは、前記カラー内面側が吸湿性の大きい布材からなるとともに、前記カラー取付面側が前記カラー内面側よりも水分遮断性の大きい布材からからなる、少なくとも２枚の布材を重ね合わせて形成されたことを特徴とする請求項１記載の替えカラー付きシャツ。
【請求項４】
人体側の内面である衣類の襟内面に着脱自在に構成された替えカラーであって、前記襟内面に沿って延び、該襟内面に臨むカラー取付面と人体の首部外周に接するカラー内面とが表裏に形成されたことを特徴とする替えカラー。
【考案の詳細な説明】
【技術分野】
【０００１】  本考案は、人体側の内面である衣類の襟内面に着脱自在に構成された替えカラー、及び該替えカラーを前記襟内面に着脱自在に設けた替えカラー付きシャツに関する。
【背景技術】
【０００２】  ワイシャツ等の襟付きシャツにおいては、襟部の汚れや汗による襟部の濡れ，あるいは旅行等における襟部の型崩れに対処する手段として、たとえば特許文献１（特開平８−４９１０１号公報）に開示されているように、襟部をシャツ本体とは別個に設けて、該襟部をシャツ本体にマジックテープ等によって着脱可能に構成した襟付きシャツが提供されている。
また、特許文献２（特開平９−３１７０２号公報）には、襦袢の襟本体の表裏面に、該襟本体の長手方向に内襟カバーを着脱自在に設けて、種々の色柄の内襟カバーを任意に選択使用可能にした襦袢の襟構造が開示されている。【０００３】
【特許文献１】  特開平８−４９１０１号公報
【特許文献２】  特開平９−３１７０２号公報
【考案の開示】
【考案が解決しようとする課題】
【０００４】  一般に、ワイシャツ等の襟付きシャツにおいては、襟部は人体に接触する襟内面が、汗の滲み込みによって濡れたり、埃等が付着して汚れたりする一方で、シャツ本体は勿論、襟部の他の部分は、濡れや汚れの程度がきわめて少ない。
然るに、前記特許文献１における襟付きシャツにおいては、シャツ本体とは別個に設けた襟部をシャツ本体にマジックテープ等によって着脱可能とすることによって、襟内面が、汗の滲み込みによって濡れたり埃等の付着によって汚れたりした際には、シャツ本体とは別個に設けた襟部全体を、予め準備しておいた新しいものとマジックテープ等を用いて取り換えて、襟部に濡れや汚れのない快適感を回復できる。【０００５】  しかしながら、前記のように、通常、襟部は人体に接触する襟内面が汗の滲み込みによって濡れたり埃等が付着して汚れたりするにも拘わらず、特許文献１の襟付きシャツにあっては、襟内面のみが濡れたり汚れたりした場合でも襟部全体を取り換えるようになっているため、常時スペアの襟部を保持しておかなければならず、比較的嵩張って型崩れし易い襟部を帯同するのがきわめて煩雑である。
また、襟内面が濡れたり汚れたりした襟部は、襟の形を良好に保持する必要があるため簡単に手洗いできないことから、シャツ本体と同様にクリーニングを施す必要があり、シャツと同程度のクリーニング代がかかる。
等の解決すべき問題点を有している。
本発明はかかる従来技術の課題に鑑み、襟付きシャツの襟部全体を取り換えることなくシャッの襟内面の濡れや汚れを回避可能とし、シャツ本体のクリーニング回数を節減できるとともに替えカラー洗濯が簡単で、持ち運びが容易な替えカラー付きシャツおよび替えカラーを提供することを目的とする。
【課題を解決するための手段】
【０００６】  本考案に係るシャツは、かかる目的を達成するもので、シャツ本体の襟内面に臨むカラー取付面と人体の首部外周に接するカラー内面とが表裏に形成されて該襟内面に沿って延びる替えカラーを備え、前記替えカラーの前記カラー取付面を前記襟内面に着脱自在に構成したことを特徴とする。
かかる考案において、好ましくは、前記替えカラーは、少なくとも前記カラー取付面に固定されたマジックシート、両面テープ等の接着シートを介して前記襟内面に固定可能に構成される。
また、前記替えカラーは単体でもよく、人体側の内面である衣類の襟内面に着脱自在に構成され、前記襟内面に沿って延び、該襟内面に臨むカラー取付面と人体の首部外周に接するカラー内面とが表裏に形成される。【０００７】  かかる考案によれば、襟内面に替えカラーを接着シートで固定したシャツを着用している際に、人体の首部外周に接触している替えカラーのカラー内面が、最初に汗の滲み込みによって濡れたり埃等が付着して汚れたりする。
その際には、シャツの襟内面に接着シートで固定している替えカラーを取外し、予備の替えカラーを接着シートで襟内面に固定すれば、新しい替えカラー付きシャツとなる。前記のように、シャツの濡れや汚れは替えカラーのカラー内面に生じるので、替えカラーのみを新しい替えカラーに取り換えれば、洗濯済みのシャツと変わらない快適な感覚でシャツを着用できる。
さらに、接着シートを介して替えカラーをシャツの襟内面に取付けているので、接着シートの部分を脱着するのみで、替えカラーを簡単に取り換えることができる。
殊に、前記替えカラーの接着シートに両面テープを用いれば、シャツの襟内面側に接着シートを用いなくても、両面テープを脱着するのみで替えカラーを襟内面に着脱できるので、従来のワイシャツをそのまま流用しても、替えカラーを用いることができる。【０００８】  また、該替えカラーはシート状の布体であるので、きわめて安価で簡単に製作できるとともに、特許文献１に係る襟の形状をした替え襟部のように型崩れの心配は無用で嵩張ることもないので、外出や旅行時においても容易に携帯できる。
さらには、替えカラーのみを取り換えれば、襟部のみの汚れのため、シャツ本体をクリーニングに出さなくてもすみ、かつシート状の布体からなる替えカラーは簡単に洗濯できるので、クリーニング代も節減できる。殊に、従来は、夏季のような汗を多くかく時期には、シャツの襟内面への汗の沁み込みが激しいため、１日の着用でシャツをクリーニングに出しているが、本考案によれば、少なくとも１日目の着用後は替えカラーのみを新しい替えカラーに取り換えれば、襟内面の汗の沁み込みによる不快感は解消され洗濯済みのシャツに近い感覚でシャツを着用できることから、少なくとも２回に１回分のクリーニング代を節減できる。【０００９】  また、かかる考案において好ましくは、前記替えカラーは、前記カラー内面側が吸湿性の大きい布材からなるとともに、前記カラー取付面側が前記カラー内面側よりも水分遮断性の大きい布材からからなる、少なくとも２枚の布材を重ね合わせて形成される。
このように構成すれば、吸湿性の大きい布材からなるカラー内面で汗等による濡れを吸収し、水分遮断性の大きい布材からからなるカラー取付面側で水分を遮断するので、替えカラーの濡れによる水分がシャツ本体の襟部に伝達するのを抑制でき、替えカラーの濡れによってシャツ本体の襟部が濡れるのを回避できる。
【考案の効果】
【００１０】  以上記載のごとく本考案によれば、シャツの濡れや汚れは替えカラーのカラー内面に生じるので、シャツの襟内面に接着シートで固定している替えカラーを取外し、替えカラーのみを新しい替えカラーに取り換えれば、洗濯済みのシャツと変わらない快適な感覚でシャツを着用できる。
また、該替えカラーはシート状の布体であるので、きわめて安価で簡単に製作できるとともに、従来技術に係る襟の形状をした替え襟部のように型崩れの心配は無用で嵩張ることもないので、外出や旅行時においても容易に携帯できる。
さらには、替えカラーのみを取り換えれば、シャツ本体をクリーニングに出さなくてもすみ、かつシート状の布体からなる替えカラーは簡単に洗濯できるので、クリーニング代を節減できる。
【考案を実施するための最良の形態】
【００１１】  以下、本考案を図に示した実施例を用いて詳細に説明する。
本考案の実施例に係る替えカラー付きワイシャツ及び替えカラーを示す図１ないし図５において、１はワイシャツ、２は該ワイシャツの襟、３は該襟２のうち人体の首部周りに形成されるカラー部、３ａは人体側の内面である襟内面である。４ａは胸部のボタン、４は襟部のボタン、４ｂは襟部のボタン孔である。
２０は替えカラーで、図２に示す正面の外郭形状が、前記ワイシャツ１の襟内面３ａに沿うように形成される。また、該替えカラー２０は、図４に示すように、前記襟内面３ａに臨むカラー取付面２０ａ（図５参照）と人体の首部外周に接するカラー内面２０ｂとが表裏に形成される。
さらに該替えカラー２０は、前記カラー内面２０ｂ側の内側シート２８が吸湿性の大きい布材からなるとともに、前記カラー取付面２０ａ側の外側シート２７が前記内側シート２８よりも水分遮断性の大きい布材からなり、該内側シート２８と外側シート２７とを重ね合わせて形成される。
尚、前記替えカラー２０は、内側シート２８と外側シート２７との間に１枚または複数枚のシートを挟み込んでもよい。【００１２】  図５及び図４に示すように、前記替えカラー２０のカラー取付面２０ａには複数箇所（この例では３箇所）にマジックシート、両面テープ等の取付シート２２が固定され、図２に示されるように、相手方のワイシャツの襟内面３ａにも前記取付シート２２に対応する位置に止めシート２２ａが固定されている。従って替えカラー２０をワイシャツの襟内面３ａに取り付ける際には、替えカラー２０側の取付シート２２と襟内面３ａ側の止めシート２２ａとを接着することにより、替えカラー２０を襟内面３ａにワンタッチで取付けることができ、また替えカラー２０をワイシャツの襟内面３ａから取り外す際には、替えカラー２０側の取付シート２２を襟内面３ａ側の止めシート２２ａから剥ぎ取ることにより、替えカラー２０を襟内面３ａからワンタッチで取り外すことができる。
さらに、前記替えカラー２０側の取付シート２２に両面テープを用いれば、ワイシャツの襟内面３ａ側の止めシート２２ａを用いなくても、両面テープを脱着するのみで替えカラー２０を襟内面３ａに着脱できるので、従来のワイシャツをそのまま流用しても、替えカラー２０を用いることができる。【００１３】  かかる実施例によれば、通常は、ワイシャツの襟内面３ａに替えカラー２０のカラー取付面２０ａを、取付シート２２と止めシート２２ａとよりなる接着シートで固定した状態でワイシャツ１を着用する。その際に、人体の首部外周に接触している替えカラー２０のカラー内面２０ｂが、最初に汗の滲み込みによって濡れたり埃等が付着して汚れたりする。
その際には、ワイシャツ１の襟内面３ａに接着シート（取付シート２２と止めシート２２ａ）で固定している替えカラー２０を接着シートを剥ぐことによってワイシャツ１から取外し、予備の替えカラー２０を前記接着シートでワイシャツ１の襟内面３ａに固定すれば、新しい替えカラー２０付きのワイシャツ１となる。【００１４】  通常、ワイシャツ１の汗による濡れや埃などによる汚れは、最初に、人体の首部外周に接触している替えカラー２０のカラー内面２０ｂに生じるので、替えカラー２０のみを新しい替えカラーに取り換えれば、洗濯済みのワイシャツ１と変わらない快適な感覚でワイシャツ１を着用できる。
さらに、替えカラー２０側の取付シート２２と襟内面３ａ側の止めシート２２ａとを接着して、替えカラー２０をワイシャツ１の襟内面３ａに取付けているので、前記取付シート２２及び止めシート２２ａからなる接着シートの部分を脱着するのみで、替えカラー２０を簡単に取り換えることができる。
殊に、前記替えカラー２０の接着シート（取付シート２２及び止めシート２２ａ）に両面テープを用いれば、ワイシャツ１の襟内面３ａ側に止めシート２２ａを用いなくても、両面テープを脱着するのみで替えカラー２０を襟内面襟内面３ａに着脱できるので、従来のワイシャツ１をそのまま流用しても、何ら手を加えることなく替えカラー２０を取り換えることができる。【００１５】  また、従来は、夏季のような汗を多くかく時期には、ワイシャツ１の襟内面３ａへの汗の沁み込みが激しいため、１日の着用でワイシャツ１をクリーニングに出すことが多いが、本考案によれば、少なくとも１日目の着用後は替えカラー２０のみを新しい替えカラーに取り換えれば、襟内面３ａの汗の沁み込みによる不快感は解消され、洗濯済みのシャツに近い感覚でワイシャツ１を着用でき、かつシート状の布体からなる替えカラー２０は簡単に洗濯できるることから、少なくとも２回に１回分のクリーニング代を節減できる。
さらに、該替えカラー２０はシート状の布体であるので、きわめて安価で簡単に製作できるとともに、特許文献１のような襟の形状をした替え襟部のように型崩れの心配は無用でかつ嵩張ることもないので、外出や旅行時においても容易に携帯できる。【００１６】  また、替えカラー２０は、図４のように、カラー内面２０ｂ側を吸湿性の大きい布材で構成し、カラー取付面２０ａ側をカラー内面側２０ｂよりも水分遮断性の大きい布材で構成して、少なくとも２枚の布材を重ね合わせて形成しているので、吸湿性の大きい布材からなり人体に接触する側のカラー内面２０ｂで人体の汗等による濡れを吸収し、水分遮断性の大きい布材からからなるカラー取付面２０ａ側で水分を遮断するので、替えカラー２０の濡れによる水分がワイシャツ１の襟２に伝達するのを抑制でき、替えカラー２０の濡れによってワイシャツ１の襟２が濡れるのを回避できる。
さらに、前記人体に接触する側のカラー内面２０ｂを、前記のような吸湿性を保持しかつワイシャツ１の襟２よりも肌触りの良い布材で構成すれば、常時快適な着心地を保持できる。
【産業上の利用可能性】
【００１７】  本考案によれば、襟付きシャツの襟部全体を取り換えることなくシャツの襟内面の濡れや汚れを回避可能とし、シャツ本体のクリーニング回数を節減できるとともに替えカラー洗濯が簡単で、持ち運びが容易な替えカラー付きシャツおよび替えカラーを提供することができる。
【図面の簡単な説明】
【００１８】
【図１】  本考案の実施例に係る替えカラー付きワイシャツの襟部近傍の外観図である。
【図２】  襟部から替えカラーを取り外したときの襟の外観展開図である。
【図３】  替えカラーのカラー内面側の構造を示す図４のＣ矢視図である。
【図４】  替えカラーの厚さ方向構造を示す図３のＡ矢視図である。
【図５】  替えカラーのカラー取付面側の構造を示す背面図である。
【符号の説明】
【００１９】１  ワイシャツ
２  襟
３  カラー部
３ａ  襟内面
２０  替えカラー
２０ａ  カラー取付面
２０ｂ  カラー内面
２２  取付シート
２２ａ  止めシート
２７  外側シート
２８  内側シート
【図１】
0003106193.tif 000003
【図２】
0003106193.tif 000004
【図３】
0003106193.tif 000005
【図４】
0003106193.tif 000006
【図５】
0003106193.tif 000007